(57)【特許請求の範囲】
【請求項１】
軸部と頭部とからなる障害釘の軸部の突出長さが揃うように該障害釘が多数配設されたパチンコ機の遊技盤であって、
前記多数の障害釘のうち特定の個所に配設される障害釘の頭部先端のみを平らに加工して水平面を形成し、該水平面にカラーリング塗装を施こし、遊技盤を積み重ねても前記カラーリング塗装を施した障害釘は他の遊技盤と接触しないようにし、積み重ねられた遊技盤をカラーリング塗装が施こされていない障害釘の頭部で受けるようにしたことを特徴とするパチンコ機の遊技盤。
【請求項２】
軸部と頭部とからなる障害釘の軸部の突出長さが揃うように該障害釘が多数配設されたパチンコ機の遊技盤であって、
前記障害釘の頭部先端に凹窪部を形成し、該凹窪部にカラーリング塗装を施こし、遊技盤を積み重ねても前記カラーリング塗装を施した障害釘の凹窪部は他の遊技盤と接触しないようにし、積み重ねられた遊技盤を障害釘の頭部で受けるようにしたことを特徴とするパチンコ機の遊技盤。
【発明の詳細な説明】
【０００１】
【発明の属する技術分野】
本発明は、遊技盤の表面に配設される障害釘にカラーリング塗装を施こすようにしたパチンコ機の遊技盤に関するものである。
【０００２】
【従来の技術】
従来、周知のようにパチンコ機の遊技盤の表面には打球誘導レールが装着されており、該打球誘導レールで区画された遊技領域にパチンコ球の通路を変更したり妨たげたりする多数の障害釘が配設されている。
【０００３】
ところで、従来遊技盤に設けられている多数の障害釘はすべて真鍮釘であるため、遊技盤の表面に施こされる華やかなデザイン（下絵）とマッチしないばかりか却ってそのデザインを死なせてしまうという問題点があった。
【０００４】
また、最近のパチンコ機は、遊技領域に始動入賞口，可変表示装置，大入賞口等を配設し、始動入賞口にパチンコ球が入賞すると可変表示装置の数字や図柄を変動させると共に、その停止時の表示が特定の組合せ、例えば「７，７，７」，「３，３，３」等に揃うと大当りとなって大入賞口を所定時間又は所定個数のパチンコ球が入賞するまで開成する動作を所定サイクル行わせるようにして遊技者に多大な利益を付与するようにしたパチンコ機が人気を得ている。
【０００５】
一方、この種のパチンコ機は、入賞領域に打込まれたパチンコ球が始動入賞口へ入賞しない限り可変表示装置の表示が変動されないため大当りを得る機会に恵まれない。また、折角大当りになっても大入賞口が開放されている限られた時間内に所定個数のパチンコ球を入賞させることができなければ満足感が得られず面白さが失われて人気の低下を招くことになりかねない。しかし、女性や年配者或いは初心者にとっては狙い所やパチンコ球の流れが判らないため思うように遊技が楽しめないという問題点があった。
【０００６】
そこで、本出願人は、このような問題点を解決するために、既に遊技盤の表面に配設される障害釘の頭部にカラーリング塗装を施こすようにして遊技盤の表面をカラフルにしたり、特定の球通路を構成する障害釘部分にのみカラーリング塗装を施こすようにして初心者でも狙い目やパチンコ球の流れが判るようにして遊技の興趣を高めるようにしたパチンコ機を提案している（特願平７−２６６２４１号）。
【０００７】
【発明が解決しようとする課題】
しかし、この従来のパチンコ機は次のような問題点があることが判明した。すなわち、各パチンコ機メーカーでは遊技盤を製造する場合、先ず釘打機で障害釘を打ち込み、次いで打球誘導レールや入賞装置等の各種盤面構成部品を取付けて完成品とするようにしている。この際に釘打ちが済んだ遊技盤を順に積み重ねて置くようにしているため、折角カラーリング塗装を施こした障害釘（以下カラー釘と呼ぶ）を使用しても積み重ねられた遊技盤が接触して色落ちしてしまうという問題点があった。
【０００８】
本発明は、上記した問題点に鑑みてなされたもので、その目的とするところは、遊技盤を積み重ねてもカラー釘の塗装が色落ちしないようなパチンコ機の遊技盤を提供することにある。
【０００９】
【課題を解決するための手段】
本出願の請求項１に記載された発明においては、軸部と頭部とからなる障害釘の軸部の突出長さが揃うように該障害釘が多数配設されたパチンコ機の遊技盤であって、前記多数の障害釘のうち特定の個所に配設される障害釘の頭部先端のみを平らに加工して水平面を形成し、該水平面にカラーリング塗装を施こし、遊技盤を積み重ねても前記カラーリング塗装を施した障害釘は他の遊技盤と接触しないようにしたことを特徴としている。
【００１０】
また、本出願の請求項２に記載された発明においては、軸部と頭部とからなる障害釘の軸部の突出長さが揃うように該障害釘が多数配設されたパチンコ機の遊技盤であって、前記障害釘の頭部先端に凹窪部を形成し、該凹窪部にカラーリング塗装を施こし、遊技盤を積み重ねても前記カラーリング塗装を施した障害釘の凹窪部は他の遊技盤と接触しないようにしたことを特徴としている。
【００１１】
上記請求項１の発明によれば、積み重ねられた遊技盤をカラーリング塗装が施こされていない障害釘の頭部で受けるため、該積み重ねられた遊技盤がカラー釘に接触するようなことがなく、このためカラー釘の色落ちを防ぐことができる。
【００１２】
また、請求項２の発明によれば、障害釘の頭部の凹窪部にカラーリング塗装が施こされているため、積み重ねられた遊技盤がカラー釘の頭部で直接に受けられても色落ちするようなことがない。
【００１３】
【発明の実施の形態】
次に、本発明の一実施の形態を図面に従い説明する。図１は本発明に係るパチンコ機の正面図である。図において、パチンコ機１は、機枠２の前面に前面枠３が開閉自在に装着されている。前面枠３は、ほぼ中央に開口窓が形成されており、該開口窓にガラス扉枠４と前面板５とが一側を軸として開閉自在に設けられている。ガラス扉枠４の後方には遊技盤６が配設され、前面板５の前面には打球供給皿７が取付けられている。この打球供給皿７は、パチンコ球払出装置から払い出されたパチンコ球を貯留すると共に、そのパチンコ球を１個ずつ発射位置に供給するものである。また、前面枠３の下部前面には打球供給皿７の余剰球を貯留する下部球皿８とパチンコ球を発射する際に操作する操作ハンドル９が設けられている。
【００１４】
図２は上記した遊技盤６の拡大正面図であり、遊技盤６の表面には発射されたパチンコ球を誘導するための打球誘導レール１０が配設され、該打球誘導レールレール１０で区画された領域が遊技領域として構成されている。この遊技領域１１の中央上部には２つの可変表示器１２，１３を上下に有する可変表示装置１４が配設されている。また、可変表示装置１４の側方には通過始動口１５ａ，１５ｂが配設され、下方には可変始動口１６と大入賞口１７とが配設されている。さらに、遊技領域には一般入賞口１８及び落下するパチンコ球の流下速度や方向を変化させるための風車１９や多数の障害釘２０が設けられている。
【００１５】
上記したパチンコ機１は、遊技領域１１に発射されたパチンコ球が通過始動口１５ａ，１５ｂを通過すると可変表示装置１４の上可変表示器１２が可変表示を開始し、一定時間後に停止する。そして、停止時の表示が特定図柄、例えば「７」になると可変始動口１６の開閉片１６ａ，１６ａが開放され、一定時間経過後又はパチンコ球が入賞すると閉じるようになっており、この可変始動口１６に入賞したパチンコ球によって可変表示装置の下可変表示器１３が可変表示を開始する。そして、下可変表示器１３の停止時の表示が特定の組合せ、例えば「７，７，７」，「３，３，３」に揃うと大当りとなって大入賞口１７の開閉扉１７ａを所定時間又は所定個数のパチンコ球が入賞するまで開成する動作を所定サイクル繰り返えすことができるように構成されている。
【００１６】
しかして、本発明によれば、上記した多数の障害釘２０のうち特定の個所、例えば通過始動口１５ａ，１５ｂ，可変始動口１６及び一般入賞口１８の上部に設けられる障害釘２０１の頭部２０１ａ先端を図３（ａ）に示すように平らに加工して水平面２０１ｂを形成し、該水平面２０１ｂに図３（ｂ）に示すように任意な色彩（例えば、赤色，ピンク色，青色等）でカラーリング塗装２０１ｃを施こすようにしたものである。なお、カラーリング塗装２０１ｃを施こす方法としては、あらかじめ下塗りをして治具に一本ずつセットし、この状態で例えばアクリル系の塗料で塗装を行なった後１８０度〜２００度の熱風で焼付けるようにすればよい。
【００１７】
このように構成されたパチンコ機は、図４に示すように遊技盤６に釘打ちした後、これらの遊技盤６を積み重ねて置く場合に、カラーリング塗装２０１ｃを施こした障害釘２０１の頭部２０１ａ先端が他の障害釘２０の頭部２０ａ先端より低い位置に置かれるため、積み重ねられた遊技盤６が下方の遊技盤６のカラーリング塗装２０１ｃを施こした障害釘２０１に接触するようなことがなくなり、その結果障害釘２０１の色落ちを防ぐことができる。
【００１８】
図５は可変始動口１６までのパチンコ球の通路を構成する部分にカラーリング塗装２０１ｃを施こした障害釘２０１を使用したものであり、このように特定の個所に配設される障害釘２０１にカラーリング塗装２０１ｃを施こすことによって一種のガイドラインとなり、初心者でも狙い目やパチンコ球の流れがつかみ易くなって一層遊技を楽しいものにすることができる。
【００１９】
図６は他の実施の形態の遊技盤の拡大正面図であり、遊技盤２０に配設される障害釘２０２のすべての頭部２０２ａ先端に図７（ａ）に示すように凹窪部２０２ｂを形成し、該凹窪部２０２ｂに図７（ｂ）に示すようにカラーリング塗装２０２ｃを施こしたものである。
【００２０】
このように構成されたパチンコ機は、図８に示すように釘打ちした遊技盤６を積み重ねる場合、該積み重ねた遊技盤６が下に置かれた遊技盤３の障害釘２０２の頭部２０２ａ先端に接触しても凹窪部２０２ｂにカラーリング塗装２０２ｃが施こされているため、色落ちを防ぐことができる。
【００２１】
そして、遊技盤６に配設される多数の障害釘２０２のすべてにカラーリング塗装２０２ｃを施こすことによって遊技盤６の表面をカラフルにすることができ、遊技者の目を楽しませることができると共に、下絵デザインを引き立たせることができ、従来にない華やかな盤面構成とすることができる。
【００２２】
【発明の効果】
以上、説明したところから明らかなように、請求項１の発明では、遊技盤に配設される多数の障害釘のうち、特定の個所に配設される障害釘の頭部先端を平らに加工して水平面を形成し、該水平面にカラーリング塗装を施こすように構成したので、釘打ちした遊技盤を積み重ねてもカラーリング塗装が剥げたり色落ちするようなことがなくなる。
【００２３】
また、請求項２の発明では、遊技盤の表面に配設される障害釘の頭部先端に凹窪部を形成し、該凹窪部にカラーリング塗装を施こすように構成したので、釘打ちした遊技盤を積み重ねても凹窪部によって色落ちを防ぐことができる。
【図面の簡単な説明】
【図１】  本発明に係るパチンコ機の正面図である。
【図２】  図１の遊技盤の拡大正面図である。
【図３】  カラーリング塗装を施こした障害釘の頭部部分の拡大断面図で、（ａ）はカラーリング塗装が施こされていない状態、（ｂ）はカラーリング塗装を施こした状態を示すものである。
【図４】  図１の遊技盤を積み重ねた状態の要部拡大断面図である。
【図５】  図２の他の実施の形態を示す遊技盤の拡大正面図である。
【図６】  図２のさらに他の実施の形態を示す遊技盤の拡大正面図である。
【図７】  カラーリング塗装を施こした他の実施の形態の障害釘の頭部部分の拡大断面図で、（ａ）はカラーリング塗装が施こされていない状態、（ｂ）はカラーリング塗装を施こした状態を示すものである。
【図８】  図６の遊技盤を積み重ねた状態の要部拡大断面図である。
【符号の説明】
６                      遊技盤
２０，２０１，２０２    障害釘
２０１ａ，２０２ａ，    障害釘の頭部
２０１ｂ                水平面
２０１ｃ，２０２ｃ      カラーリング塗装
２０２ｂ                凹窪部
【図１】
0004185574.tif 000002
【図２】
0004185574.tif 000003
【図３】
0004185574.tif 000004
【図４】
0004185574.tif 000005
【図５】
0004185574.tif 000006
【図６】
0004185574.tif 000007
【図７】
0004185574.tif 000008
【図８】
0004185574.tif 000009